(57)【要約】【課題】広画角でフォーカシングによる光学性能の変動を抑制したズームレンズを提供する。【解決手段】ズームレンズは、物体側より像側へ順に負の屈折力を有する第１レンズ群と、正の屈折力を有する第２レンズ群と、絞りを含む複数のレンズ群からなる後続群とから構成され、ズーミングに際して隣り合うレンズ群の間隔が変化する。第１レンズ群は、少なくとも１枚の負レンズを有し、後続群はフォーカシングに際して移動するフォーカスレンズ群を含み、第１レンズ群の負レンズの物体側のレンズ面および像側のレンズ面の曲率をそれぞれＲｆおよびＲｒとし、広角端および無限遠合焦時における絞りからフォーカスレンズ群までの光軸上の距離をＤｆとし、フォーカスレンズ群へ入射する軸外主光線の高さをＨｆとするとき、    １．０＜（Ｒｆ−Ｒｒ）／（Ｒｆ＋Ｒｒ）＜２．５    ０．３９＜Ｈｆ／Ｄｆ＜０．５５なる条件を満足する。【選択図】図１
2020190661.tif 000002
【特許請求の範囲】
【請求項１】
物体側より像側へ順に負の屈折力を有する第１レンズ群と、正の屈折力を有する第２レンズ群と、絞りを含む複数のレンズ群からなる後続群と、から構成され、ズーミングに際して隣り合うレンズ群の間隔が変化するズームレンズであって、
前記第１レンズ群は、少なくとも１枚の負レンズを有し、
前記後続群はフォーカシングに際して移動するフォーカスレンズ群を含み、
前記第１レンズ群の前記負レンズの物体側のレンズ面および像側のレンズ面の曲率をそれぞれＲｆおよびＲｒとし、広角端および無限遠合焦時における前記絞りから前記フォーカスレンズ群までの光軸上の距離をＤｆとし、前記フォーカスレンズ群へ入射する軸外主光線の高さをＨｆとするとき、
１．０＜（Ｒｆ−Ｒｒ）／（Ｒｆ＋Ｒｒ）＜２．５
０．３９＜Ｈｆ／Ｄｆ＜０．５５
なる条件を満足することを特徴とするズームレンズ。
【請求項２】
前記後続群に含まれる前記フォーカスレンズ群の最物体側のレンズ面および最像側のレンズ面の曲率をそれぞれＲｆｆおよびＲｆｒとするとき、
０．１５＜（Ｒｆｆ−Ｒｆｒ）／（Ｒｆｆ＋Ｒｆｒ）＜０．８０
なる条件を満足することを特徴とする請求項１に記載のズームレンズ。
【請求項３】
前記第１レンズ群は、物体側から像側へ順に配置された第１の負レンズと第２の負レンズとを有し、
前記第１および第２の負レンズの焦点距離をそれぞれｆ１ｎおよびｆ２ｎとするとき、
０．６＜ｆ１ｎ／ｆ２ｎ＜１．２  
なる条件を満足することを特徴とする請求項１または２に記載のズームレンズ。
【請求項４】
前記第１および第２レンズ群の焦点距離をそれぞれｆ１およびｆ２とするとき、
−２．００＜ｆ１／ｆ２＜−０．２５
なる条件を満足することを特徴とする請求項１から３のいずれか一項に記載のズームレンズ。
【請求項５】
前記第１レンズ群を構成しているレンズのｄ線における屈折率の平均値をＮｄ１ａｖｅとするとき、
Ｎｄ１ａｖｅ＞１．７５    
なる条件を満足することを特徴とする請求項１から４のいずれか一項に記載のズームレンズ。
【請求項６】
前記第１レンズ群は、物体側から順に第１の負レンズと、第２の負レンズと、正レンズとから構成され、
前記第２の負レンズの像側のレンズ面および前記正レンズの物体側のレンズ面の曲率をそれぞれＲｎｒおよびＲｐｆとするとき、
０．０５＜（Ｒｎｒ−Ｒｐｆ）／（Ｒｎｒ＋Ｒｐｆ）＜０．２５
なる条件を満足することを特徴とする請求項１から５のいずれか一項に記載のズームレンズ。
【請求項７】
前記第２レンズ群の全体または一部を光軸方向に垂直に移動させて、被写体像の像面移動を補正することを特徴とする請求項１から６のいずれか一項に記載のズームレンズ。
【請求項８】
請求項１から７のいずれか一項に記載のズームレンズと、
該ズームレンズによって形成された像を受光する撮像素子と、を有することを特徴とする光学機器。
【請求項９】
前記撮像素子上の広角側での有効像円径は望遠端での有効像円径よりも小さいことを特徴とする請求項８に記載の光学機器。
【発明の詳細な説明】
【技術分野】
【０００１】
本発明はズームレンズ、およびそれを有する光学機器に関する。
【背景技術】
【０００２】
近年、カメラにおいてはクイックリターンミラーがない、いわゆるミラーレスカメラが増えている。このミラーレスカメラは本体が薄く、小型かつ軽量であるため、ミラーレスカメラにマッチした小型かつ軽量の交換レンズの開発が求められている。
【０００３】
このミラーレスカメラはクイックリターンミラーのスペースが不要となるため、従来の交換レンズほどバックフォーカスを確保する必要がない。そのため、レンズの構成も従来の交換レンズとは異なり、設計の自由度が増えるため、小型かつ軽量のレンズを設計することが可能となる。
【０００４】
特に広角レンズは、バックフォーカスが短くなり易いため、ミラーレスカメラ用の交換レンズとしては小型化が可能となる。
【０００５】
さらに、近年では画像処理技術の進歩により、一部の収差を電気的に補正することが可能となっている。特に色収差や歪曲収差といった諸収差を電気的に補正し、その他の収差補正に適した構成とすることで小型化や高画質化、コストダウンを行う事が可能となる。
【先行技術文献】
【特許文献】
【０００６】
【特許文献１】特開２０１４−２３５１９０号公報
【特許文献２】特開２０１５−７９２３８号公報
【発明の概要】
【発明が解決しようとする課題】
【０００７】
従来、負の屈折力を有する第１レンズ群、正の屈折力を有する第２レンズ群、複数のレンズ群を有する後続群からなるズームレンズが知られており、例えば特許文献１にそのズームレンズが開示されている。このズームレンズでは、第２レンズ群が主変倍群であり、像側に配置された複数のレンズ群を移動させる事で高倍率化、高性能化を行っている。このズームレンズは、光学全長の小型化と諸収差の良好な補正の両立を特徴としている。しかし、広角側の画角は必ずしも十分とは言えない状況であった。
【０００８】
広画角化を行ったズームレンズの例として、例えば特許文献２が提案されている。このズームレンズは４群構成とし、変倍に伴う像面変動と像ぶれ補正を良好に補正することを特徴としている。しかし、フォーカシング時の像面湾曲の変化が大きく、良好な収差補正の点では必ずしも十分とは言えない状況であった。
【０００９】
本発明は、上記課題を解決するため、広画角でフォーカシングによる光学性能の変動を抑制したズームレンズ、およびそれを有する光学機器の提供を目的とする。
【課題を解決するための手段】
【００１０】
本発明の一側面としてのズームレンズは、物体側より像側へ順に負の屈折力を有する第１レンズ群と、正の屈折力を有する第２レンズ群と、絞りを含む複数のレンズ群からなる後続群と、から構成され、ズーミングに際して隣り合うレンズ群の間隔が変化するズームレンズであって、前記第１レンズ群は、少なくとも１枚の負レンズを有し、前記後続群はフォーカシングに際して移動するフォーカスレンズ群を含み、前記第１レンズ群の前記負レンズの物体側のレンズ面および像側のレンズ面の曲率をそれぞれＲｆおよびＲｒとし、広角端および無限遠合焦時における前記絞りから前記フォーカスレンズ群までの光軸上の距離をＤｆとし、前記フォーカスレンズ群へ入射する軸外主光線の高さをＨｆとするとき、
１．０＜（Ｒｆ−Ｒｒ）／（Ｒｆ＋Ｒｒ）＜２．５
０．３９＜Ｈｆ／Ｄｆ＜０．５５
なる条件を満足することを特徴とする。
【発明の効果】
【００１１】
本発明によれば、広画角でフォーカシングによる光学性能の変動を抑制したズームレンズ、およびそれを有する光学機器が得られる。
【図面の簡単な説明】
【００１２】
【図１】実施例１のズームレンズの断面図
【図２】実施例１のズームレンズの広角端での収差図
【図３】実施例１のズームレンズの中間での収差図
【図４】実施例１のズームレンズの望遠端での収差図
【図５】実施例２のズームレンズの断面図
【図６】実施例２のズームレンズの広角端での収差図
【図７】実施例２のズームレンズの中間での収差図
【図８】実施例２のズームレンズの望遠端での収差図
【図９】実施例３のズームレンズの断面図
【図１０】実施例３のズームレンズの広角端での収差図
【図１１】実施例３のズームレンズの中間での収差図
【図１２】実施例３のズームレンズの望遠端での収差図
【図１３】実施例４のズームレンズの断面図
【図１４】実施例４のズームレンズの広角端での収差図
【図１５】実施例４のズームレンズの中間での収差図
【図１６】実施例４のズームレンズの望遠端での収差図
【図１７】実施例５のズームレンズの断面図
【図１８】実施例５のズームレンズの広角端での収差図
【図１９】実施例５のズームレンズの中間での収差図
【図２０】実施例５のズームレンズの望遠端での収差図
【図２１】実施例６のズームレンズの断面図
【図２２】実施例６のズームレンズの広角端での収差図
【図２３】実施例６のズームレンズの中間での収差図
【図２４】実施例６のズームレンズの望遠端での収差図
【図２５】実施例７のズームレンズの断面図
【図２６】実施例７のズームレンズの広角端での収差図
【図２７】実施例７のズームレンズの中間での収差図
【図２８】実施例７のズームレンズの望遠端での収差図
【図２９】各実施例のズームレンズを搭載する光学機器（デジタルカメラ）の装置図
【発明を実施するための形態】
【００１３】
以下、添付図面を参照して本発明を実施するための各実施例について説明する。図面において、同一符号は同一部材を示している。
【００１４】
各実施例のズームレンズは、広画角でフォーカシングによる光学性能の変動を抑制できることが特徴である。特に一眼レフカメラ、デジタルスチルカメラ、フィルム用カメラ、ビデオカメラ等に用いられるズームレンズ、およびそれを有する光学機器に好適なものである。
【００１５】
近年、撮影装置をコンパクトにするため、広角領域において歪曲収差を電気的に補正する電子歪曲補正が多く導入されている。電子歪曲補正を導入した撮影装置は、レンズ径の小型化等のコンパクト化に有利である。しかしながら、電子歪曲補正を用いるズームレンズでは、フォーカシング時の収差変動が大きくなるという問題点が知られている。
【００１６】
収差論では、無限遠距離から至近距離にフォーカシングする過程は、無限遠距離から至近距離に物体距離が移動する過程(物体距離移動)と、その物体距離にフォーカシングするためにフォーカスレンズ群が移動する過程(フォーカスレンズ群移動)とに分離することができる。収差論を用いると、物体距離移動時に像面湾曲の変動が原理的に大きくなり、フォーカシング時の像面湾曲の変動も大きくなる傾向にある。それは、歪曲収差に関する３次収差係数Ｖが大きいために、非点収差に関する３次収差係数IIIの物体距離移動時の変動量（ΔIII）１も大きくなることから説明される。（ここで、δは物体距離移動パラメータ、IIＳは瞳のコマ収差に関する３次収差係数、ＩＳは瞳の球面収差に関する３次収差係数である。）
（ΔIII）１＝−δ（Ｖ＋IIＳ）＋δ^２×IＳ
インナーフォーカスを採用したズームレンズは、フォーカスレンズ群の小型化、軽量化、及び、迅速なフォーカシングが容易になる。しかしながら、一般に、撮像装置に用いられる撮像素子が大型化してくると、撮像装置に用いられるズームレンズには全ズーム範囲及び全物体距離にわたり高い光学性能を有することが求められる。例えばフォーカシングに際して収差変動が少ないこと、特に画面全体に高い光学性能を維持するため像面湾曲の変動が少ないことが求められる。
【００１７】
一方、電子歪曲補正を行う機能を有する撮像装置に用いるズームレンズでは、歪曲収差が許容されるため、広画角化を図りつつレンズ全体の小型化が容易となる。しかしながら、このようなズームレンズは特に広角領域においてフォーカシングする際、像面湾曲の変動が増大してくる。
【００１８】
ズームレンズにおいて、所定の撮影画角を有しつつ、フォーカシングに際しての収差変動が少なく、画面全体にわたり高い光学性能を得るには、ズームタイプやレンズ構成等を適切に設定することが必要となってくる。更にフォーカスレンズ群へ入射する軸外主光線に関してズームタイプやレンズ構成等を適切に設定することが必要となってくる。
【００１９】
各実施例のズームレンズは、広角端においてフォーカスレンズ群における軸外主光線の入射角α〜および高さｈ〜を大きくしている。それにより、フォーカスレンズ群の移動時の像面湾曲の変動量（ΔIII）２
（ΔIII）２ ∝ （１／ｆ）αα〜ｈ〜（Δｈ）
を大きくしている。ここで、αは近軸軸上光線の入射角である。これによって広角端において物体距離の移動時の像面湾曲の変動をフォーカスレンズ群の移動時に補正するようにしている。尚、本式においてｆはフォーカスレンズ群の焦点距離、Δｈはフォーカスレンズ群の移動によるフォーカスレンズ群の軸上マージナル光線の入射高さの変動量である。
【００２０】
各実施例のズームレンズは、上記レンズ構成とすることで諸収差の悪化を抑えつつ、ショートバックフォーカスに対応し、さらに広画角で広角領域でのフォーカシングによる光学性能の変動を抑制している。
【００２１】
具体的には、各実施例のズームレンズは、物体側より像側へ順に負の屈折力を有する第１レンズ群と、正の屈折力を有する第２レンズ群と、絞りおよび複数のレンズ群からなる後続群とから構成され、ズーミングに際して隣り合うレンズ群の間隔は変化する。
【００２２】
また、第１レンズ群は、少なくとも１枚の負レンズを有し、後続群はフォーカシングに際して移動するフォーカスレンズ群を含む。第１レンズ群の負レンズの物体側のレンズ面および像側のレンズ面の曲率をそれぞれＲｆおよびＲｒとし、広角端および無限遠合焦時における絞りからフォーカスレンズ群までの光軸上の距離をＤｆとし、フォーカスレンズ群へ入射する軸外主光線の高さをＨｆとするとき、
１．０＜（Ｒｆ−Ｒｒ）／（Ｒｆ＋Ｒｒ）＜２．５    （１）
０．３９＜Ｈｆ／Ｄｆ＜０．５５                    （２）
なる条件を満足する。
【００２３】
なお、軸外主光線とは広角端における無限遠合焦時に撮像素子上の最大有効像円に入射する瞳中心光線である。
【００２４】
前述したように、各実施例では第１レンズ群内に含まれるレンズの形状およびフォーカスレンズ群へ入射する軸外主光線に関して、適切な設定を与えることが重要となる。
【００２５】
条件式（１）は、第１レンズ群に配置された負レンズの形状に関する条件式であり、特に歪曲収差および像面湾曲補正に関する。条件式（１）の下限値を下回ると、負レンズの物体側のレンズ面が平面に近づくため歪曲収差の補正に対して有利だが、特に望遠端の球面収差を補正する上で困難となる。一方、条件式（１）の上限値を上回ると、負レンズの物体側のレンズ面が強い凹面となるため、像面湾曲を補正する上で有利となるが、特に広角端の像面湾曲およびコマ収差を補正する上で困難となる。また、第１レンズ群のレンズ厚みが厚くなるため小型化に対して不利となる。
【００２６】
条件式（２）は、後続群に配置されたフォーカスレンズ群に入射する光線に関する条件式であり、特に広角端のフォーカシングに伴う像面湾曲の変動に関する条件式である。条件式（２）の下限値を下回ると、フォーカスレンズ群に入射する光線の高さが低くなるため、フォーカシングに伴う像面湾曲の変動を抑えることが困難となる。一方、条件式（２）の上限値を上回ると、フォーカスレンズ群に入射する光線の高さが高くなるため、フォーカシングに伴う像面湾曲の変動を抑える上で有利となるが、フォーカスレンズ群が大型化するためフォーカシング速度の減速につながるため好ましくない。
【００２７】
なお、収差補正上更に好ましくは、条件式（１）−（２）の数値範囲を次のように設定するのが良い。
【００２８】
１．２＜（Ｒｆ−Ｒｒ）／（Ｒｆ＋Ｒｒ）＜ ２．５   （１ａ）
０．３９＜Ｈｆ／Ｄｆ＜０．５３                    （２ａ）
より好ましくは、条件式（１）−（２）の数値範囲を次のように設定するのが良い。
【００２９】
１．５＜（Ｒｆ−Ｒｒ）／（Ｒｆ＋Ｒｒ）＜２．５    （１ｂ）
０．３９＜Ｈｆ／Ｄｆ＜０．５０                    （２ｂ）
さらに、フォーカスレンズ群の最物体側および最像側のレンズ面の曲率をそれぞれＲｆｆおよびＲｆｒとするとき、各実施例のズームレンズは、
０．１５＜（Ｒｆｆ−Ｒｆｒ）／（Ｒｆｆ＋Ｒｆｒ）＜０．８０                                                                （３）
なる条件式を満足することが好ましい。
【００３０】
条件式（３）は、後続群内に配置されたフォーカスレンズ群の形状に関する条件式で、特に広角側のコマ収差補正、フォーカシング時の像面湾曲の変動に関する条件式である。条件式（３）の下限値を下回ると、フォーカスレンズ群のメニス形状が強まるため、フォーカシング時の像面湾曲の変動を抑える上で有利であるが、球面収差を補正する上で困難となる。一方、条件式（３）の上限値を上回ると、物体側面が平面に近づくため、コマ収差を補正する上で困難となる。
【００３１】
また、第１レンズ群は物体側から像側へ順に配置された第１の負レンズと第２の負レンズを有し、それぞれの負レンズの焦点距離をｆ１ｎ、ｆ２ｎとするとき、各実施例のズームレンズは、
０．６＜ｆ１ｎ／ｆ２ｎ＜１．２                    （４）
なる条件式を満足することが好ましい。
【００３２】
条件式（４）は、第１レンズ群に含まれる２枚の負レンズのパワー配置に関する条件式で、特に広角側のコマ収差、像面湾曲に関する条件式である。条件式（４）の下限値を下回ると、第１負レンズの屈折力が強まるために広画角を達成する上で有利であるが、広角側の像面湾曲、望遠側のコマ収差を補正する上で困難となる。一方、条件式（４）の上限値を上回ると、第２負レンズの屈折力が強まるため、広角側のコマ収差を補正する上で困難となる。また、前玉径の大型化を招くため好ましくない。
【００３３】
また、該第ｉレンズ群の焦点距離をｆｉとしたとき、各実施例のズームレンズは、
−２．００＜ｆ１／ｆ２＜−０．２５                （５）
なる条件式を満足することが好ましい。
【００３４】
条件式（５）は、第１レンズ群と第２レンズ群のパワー配置に関する条件式で、特に光学全長とコマ収差に関する条件式である。条件式（５）の下限値を下回ると、第１レンズ群の屈折力が弱まり、第２レンズ群の屈折力が強まるためバックフォーカスを短くする上で有利となるが、望遠側の球面収差、コマ収差を補正する上で困難となる。一方、条件式（５）の上限値を上回ると、第１レンズ群の屈折力が強まり、第２レンズ群の屈折力が弱まるため広角側の球面収差を補正する上で困難となる。また、変倍比を大きくするために変倍群である第２レンズ群の移動量を大きくする必要があり、レンズ全長が大型化するため好ましくない。
【００３５】
また、第１レンズ群を構成している各レンズのｄ線における屈折率の平均値をＮｄ１ａｖｅとするとき、各実施例のズームレンズは、
Ｎｄ１ａｖｅ＞１．７５                            （６）
なる条件式を満足することが好ましい。
【００３６】
条件式（６）は、第１レンズ群を構成するレンズの屈折率に関する条件式で、特に光学全長や望遠側の球面収差に関する条件式である。条件式（６）の下限値を下回ると、第１レンズ群を構成するガラスの屈折率が小さくなるため、各レンズの曲率が強まり、第1レンズ群の光軸上の厚みが厚くなり全長が大型化するため好ましくない。また、望遠側の球面収差を補正する上で困難となる。
【００３７】
また、第１レンズ群は物体側から順に第１の負レンズ、第２の負レンズ、正レンズより構成され、第２の負レンズの像側のレンズ面および正レンズの物体側のレンズ面の曲率をそれぞれＲｎｒおよびＲｐｆとするとき、各実施例のズームレンズは、
０．０５＜（Ｒｎｒ−Ｒｐｆ）／（Ｒｎｒ＋Ｒｐｆ）＜０．２５                                                          （７）
なる条件式を満足することが好ましい。
【００３８】
条件式（７）は、第１レンズ群に含まれる負レンズと正レンズとの間の空気層の形状に関する条件式で、特に広角側の像面湾曲、歪曲収差に関する条件式である。条件式（７）の下限値を下回ると、メニスカス形状が強まるため空気層での収差補正、特に歪曲収差の補正が困難となる。一方、条件式（７）の上限値を上回ると、空気層での歪曲収差を補正する上で有利であるが、像面湾曲の補正が困難となる。
【００３９】
なお、収差補正上更に好ましくは、条件式（３）−（７）の数値範囲を次のように設定するのが良い。
【００４０】
０．１７＜（Ｒｆｆ−Ｒｆｒ）／（Ｒｆｆ＋Ｒｆｒ）＜０．７５                                                          （３ａ）
０．６５＜ｆ１ｎ／ｆ２ｎ＜１．１５          （４ａ）
−２．００＜ｆ１／ｆ２＜−０．２８          （５ａ）
１．７５＜Ｎｄ１ａｖｅ＜２．２０                  （６ａ）
０．０５＜（Ｒｎｒ−Ｒｐｆ）／（Ｒｎｒ＋Ｒｐｆ）＜０．２２                                                          （７ａ）
より更に好ましくは、条件式（３）−（７）の数値範囲を次のように設定するのが良い。
【００４１】
０．２０＜（Ｒｆｆ−Ｒｆｒ）／（Ｒｆｆ＋Ｒｆｒ）＜０．７０                                                          （３ｂ）
０．７＜ｆ１ｎ／ｆ２ｎ＜１．１              （４ｂ）
−２．０＜ｆ１／ｆ２＜−０．３              （５ｂ）
１．７５＜Ｎｄ１ａｖｅ＜２．００                  （６ｂ）
０．０５＜（Ｒｎｒ−Ｒｐｆ）／（Ｒｎｒ＋Ｒｐｆ）＜０．１８                                                          （７ｂ）
更に撮影時には、第２レンズ群Ｌ２の全体または一部を光軸に対して垂直方向に移動させることによって光軸に対して垂直方向に像を変移させている。これにより、ズームレンズ全体が振動した際の撮影画像のブレ（被写体像の像面移動）を補正している。ここで光軸に対して垂直方向とは、厳密な意味で光軸に対して垂直である必要はなく、光軸に対して垂直な方向から僅かに傾いでいるものも許容する意味である。
【００４２】
なお、諸収差のうち歪曲収差の補正を電気的な画像処理によって行っても良い。特に、広角側での撮像素子の有効撮像範囲（有効像円径）を望遠端での有効撮像範囲（有効像円径）より小さくし、上記歪曲収差の補正を行うことによって、前玉径の小型化に寄与する。
【００４３】
以下、本発明の実施例について図面を参照して説明する。
［実施例１］
図１，２−４は、それぞれ実施例１のズームレンズの広角端における断面図、収差図である。図１の左方が被写体側で、右方が像側である。図１において、Ｌ１は負の屈折力を有する第１レンズ群、Ｌ２は正の屈折力を有する第２レンズ群、Ｌ３は負の屈折力を有する第３レンズ群であり、フォーカシングに際して移動するフォーカスレンズ群ＬＦに相当する。Ｌ４は負の屈折力を有する第４レンズ群、Ｌ５は正の屈折力を有する第５レンズ群である。ＳＰは開口絞りであり、第２レンズ群Ｌ２の内部に位置しており、ズーミングに際して第２レンズ群Ｌ２と一体的に移動する。ＩＰは像面であり、デジタルスチルカメラやビデオカメラの撮影光学系として使用する際にはＣＣＤセンサやＣＭＯＳセンサ等の固体撮像素子の撮像面が、銀塩フィルム用カメラのときはフィルム面に相当する。ＧＢはガラスブロックであり、ローパスフィルターやＩＲカットフィルターに相当する。
【００４４】
また、図２−４の各収差図において、ｄおよびｇは、それぞれｄ線およびｇ線を表し、ΔＭおよびΔＳは、それぞれメリジオナル像面およびサジタル像面を表す。倍率色収差はｇ線によって表している。また、ｆｎｏはＦナンバーであり、ωは半画角（°）である。
【００４５】
次に、各レンズ群のレンズ構成について説明する。
【００４６】
第１レンズ群Ｌ１は、物体側のレンズ面が凸形状の負メニスカスレンズと、両側のレンズ面が凹面の負レンズと、物体側のレンズ面が凸形状の正メニスカスレンズとで構成されている。実施例１のズームレンズでは小型とするために第１レンズ群Ｌ１の屈折力を適切な範囲で強めている。屈折力を強めた際、第１レンズ群Ｌ１内で発生する諸収差、特に広角端において歪曲収差、像面湾曲が多く発生してくる。そこで第１レンズ群Ｌ１の負の屈折力を２枚の負レンズに分担し、特に歪曲収差は電子歪曲補正を適用することでこれらの収差を良好に補正している。
【００４７】
第２レンズ群Ｌ２は、両側のレンズ面が凸形状の正レンズと、物体側のレンズ面が強い凸形状の正レンズと物体側のレンズ面が凹形状の負レンズとを接合した接合レンズと、物体側のレンズ面が凸形状の正メニスカスレンズとの計４枚のレンズで構成されている。実施例１のズームレンズでは、変倍比を大きくするために第２レンズ群Ｌ２の屈折力を適切な範囲で強めている。屈折力を強めた際、第２レンズ群Ｌ２で発生する諸収差、特に球面収差、軸上色収差が多く発生してくる。実施例１では第２レンズ群Ｌ２の正の屈折力を３枚の正レンズで分担し、球面収差の発生を低減している。また、正レンズに低分散のガラスを使用することによって軸上色収差を抑制している。このようなレンズ構成により、変倍比を大きくしながら光学全長の短縮を行っている。
【００４８】
第３レンズ群Ｌ３は、物体側のレンズ面が凸形状の負メニスレンズ１枚で構成されている。実施例１のズームレンズでは、少ないレンズ枚数で第３レンズ群Ｌ３を構成することで小型化、軽量化を図っている。特に物体側のレンズ面が凸面のメニスカス形状とすることで、第２レンズ群Ｌ２で発生した球面収差の補正およびフォーカシング時の像面湾曲の変動を抑制している。
【００４９】
第４レンズ群Ｌ４は、物体側のレンズ面が凸形状の負レンズ１枚で構成されている。実施例１のズームレンズでは、少ないレンズ枚数で第４レンズ群Ｌ４を構成することで薄型化を図っている。特にレンズ周辺部に向けて正の屈折力が弱まる非球面レンズを配置することで像面湾曲の補正を行っている。
【００５０】
第５レンズ群Ｌ５は、像側のレンズ面が凸形状の正メニスカスレンズ１枚で構成されている。実施例１のズームレンズでは、少ないレンズ枚数で第５レンズ群を構成する事で薄型化、軽量化を図っている。像側に凸のメニスカス形状とする事で像面湾曲の補正および撮像素子へ入射する光線角度を抑制している。また、ズーム全域の倍率色収差を補正している。
【００５１】
なお、実施例１において広角端と望遠端は変倍レンズ群が機構上光軸上移動可能な範囲の両端に位置したときのズーム位置をいう。以下の実施例においても同様である。
【００５２】
実施例１では、広角端から望遠端へのズーミングに際して矢印のように、第１レンズ群Ｌ１を像側に凸軌跡で移動、第２レンズ群Ｌ２と第４レンズ群Ｌ４を一体で物体側へ移動させることによって変倍を行う。また、第３レンズ群Ｌ３を物体側に移動させることで変倍に伴う像面変動を補正している。
【００５３】
また、第３レンズ群Ｌ３を光軸上移動させてフォーカシングを行うインナーフォーカス方式を採用している。第３レンズ群Ｌ３に関する実線の曲線３ａと点線の曲線３ｂは、それぞれ無限遠物体と近距離物体にフォーカスしているときの変倍に伴う像面変動を補正するための移動軌跡である。このように第３レンズ群Ｌ３を物体側へ移動させることで第２レンズ群Ｌ２と第４レンズ群Ｌ４との間の空間の有効利用を図り、光学全長の短縮化を効果的に達成している。
【００５４】
また、望遠端において無限遠物体から近距離物体へフォーカスを行う場合には、矢印３ｃに示すように第３レンズ群Ｌ３を後方に繰り込むことで行っている。なお、第１レンズ群Ｌ１はフォーカシングの為には光軸方向に固定されるが、収差補正上必要に応じて移動させてもよい。
【００５５】
また、撮影時には、被写体像のブレを補正するために該第２レンズ群Ｌ２の全体または一部を光軸に対して垂直方向に移動させてもよい。
［実施例２−５］
図５，６−８は、それぞれ実施例２のズームレンズの広角端における断面図、収差図である。
【００５６】
図９，１０−１２は、それぞれ実施例３のズームレンズの広角端における断面図、収差図である。
【００５７】
図１３，１４−１６は、それぞれ実施例４のズームレンズの広角端における断面図、収差図である。
【００５８】
図１７，１８−２０は、それぞれ実施例５のズームレンズの広角端における断面図、収差図である。
【００５９】
実施例２−５の断面図、収差図に用いられる文字、記号は、実施例１と同様である。また、各レンズ群のレンズ構成、その他についても実施例１と同様である。
【００６０】
実施例２−５において、第３レンズ群Ｌ３はフォーカシングに際して移動するフォーカスレンズ群ＬＦに相当する。
［実施例６］
図２１，２２−２４は、それぞれ実施例６のズームレンズの広角端における断面図、収差図である。図２１において、左方が被写体側で、右方が像側である。Ｌ１は負の屈折力を有する第１レンズ群、Ｌ２は正の屈折力を有する第２レンズ群、Ｌ３は負の屈折力を有する第３レンズ群であり、フォーカシングに際して移動するフォーカスレンズ群ＬＦに相当する。Ｌ４は負の屈折力を有する第４レンズ群である。ＳＰは開口絞りであり、第２レンズ群Ｌ２の内部に位置しており、ズーミングに際して第２レンズ群Ｌ２と一体的に移動する。
【００６１】
実施例６では、広角端から望遠端へのズーミングに際して矢印のように、第１レンズ群Ｌ１を像側に凸軌跡で移動、第２レンズ群Ｌ２と第４レンズ群Ｌ４を一体で物体側へ移動させることによって変倍を行う。また、第３レンズ群Ｌ３を物体側に移動させることで変倍に伴う像面変動を補正している。
【００６２】
また、第３レンズ群Ｌ３を光軸上移動させてフォーカシングを行うインナーフォーカス方式を採用している。第３レンズ群Ｌ３に関する実線の曲線３ａと点線の曲線３ｂは、それぞれ無限遠物体と近距離物体にフォーカスしているときの変倍に伴う像面変動を補正するための移動軌跡である。このように第３レンズ群Ｌ３を物体側へ移動させることで第２レンズ群Ｌ２と第４レンズ群Ｌ４との間の空間の有効利用を図り、光学全長の短縮化を効果的に達成している。
【００６３】
また、望遠端において無限遠物体から近距離物体へフォーカスを行う場合には、矢印３ｃに示すように第３レンズ群Ｌ３を後方に繰り込むことで行っている。なお、第１レンズ群Ｌ１はフォーカスシングの為には光軸方向に固定されるが、収差補正上必要に応じて移動させてもよい。その他は実施例１と同様である。
【００６４】
実施例６の収差図に用いられる文字、記号は、実施例１と同様である。
［実施例７］
図２５，２６−２８は、それぞれ実施例７のズームレンズの広角端における断面図、収差図である。図２５において、左方が被写体側で、右方が像側である。Ｌ１は負の屈折力を有する第１レンズ群、Ｌ２は正の屈折力を有する第２レンズ群、Ｌ３は正の屈折力を有する第３レンズ群である。Ｌ４は負の屈折力を有する第４レンズ群であり、フォーカシングに際して移動するフォーカスレンズ群LFに相当する。Ｌ５は正の屈折力を有する第５レンズ群である。ＳＰは開口絞りであり、第３レンズ群Ｌ３の内部に位置しており、ズーミングに際して第３レンズ群Ｌ３と一体的に移動する。
【００６５】
実施例７では、広角端から望遠端へのズーミングに際して矢印のように、第１レンズ群Ｌ１を像側に凸軌跡で移動、第２レンズ群Ｌ２を物体側に移動、第３レンズ群Ｌ３と第５レンズ群Ｌ５を一体で物体側へ移動させることによって変倍を行う。また、第４レンズ群Ｌ４を物体側に移動させることで変倍に伴う像面変動を補正している。
【００６６】
また、第４レンズ群Ｌ４を光軸上移動させてフォーカシングを行うインナーフォーカス方式を採用している。第４レンズ群Ｌ４に関する実線の曲線４ａと点線の曲線４ｂは、それぞれ無限遠物体と近距離物体にフォーカスしているときの変倍に伴う像面変動を補正するための移動軌跡である。このように第４レンズ群Ｌ４を物体側へ移動させることで第３レンズ群Ｌ３と第５レンズ群Ｌ５との間の空間の有効利用を図り、光学全長の短縮化を効果的に達成している。
【００６７】
また、望遠端において無限遠物体から近距離物体へフォーカスを行う場合には、矢印４ｃに示すように第４レンズ群Ｌ４を後方に繰り込むことで行っている。なお、第１レンズ群Ｌ１はフォーカスの為には光軸方向に固定されるが、収差補正上必要に応じて移動させてもよい。その他は実施例１と同様である。
【００６８】
実施例６の収差図に用いられる文字、記号は、実施例１と同様である。
（撮像装置）
次に、各実施例のズームレンズを撮影光学系として用いた撮像装置（デジタルカメラ）の実施例について、図２９を用いて説明する。
【００６９】
図２９において、３０はカメラ本体、３１は実施例１〜７で説明したいずれかのズームレンズによって構成された撮影光学系である。
【００７０】
撮影光学系３１によって形成された被写体像を受光するＣＣＤセンサやＣＭＯＳセンサ等の固体撮像素子（光電変換素子）（不図示）はカメラ本体に内蔵される。
（各実施例の数値データ）
次に、各実施例の数値データを数値実施例１〜７に示す。各実施例の数値データにおいて、ｒｉは物体側からｉ番目の面の曲率半径、ｄｉは物体側からｉ番目の面とｉ＋１番目の面との間の面間隔、ｎｉは第ｉ番目のレンズのｄ線における屈折率、ｖｉは第ｉ番目のレンズのｄ線におけるアッベ数を示すものとする。また、Ｋを円錐定数、Ａ４，Ａ６，Ａ８，Ａ１０，Ａ１２を４次、６次、８次、１０次、１２次の非球面係数とし、光軸からの高さｈの位置での光軸方向の変位を面頂点を基準にしてｘとするとき、非球面形状は、
ｘ＝（ｈ2／Ｒ）／［１＋［１−（１＋Ｋ）（ｈ／Ｒ）２］１／２］＋Ａ４ｈ４＋Ａ６ｈ６＋Ａ８ｈ８＋Ａ１０ｈ１０＋Ａ１２ｈ１２
で表示される。ただし、Ｒは曲率半径であり、「ｅ−Ｘ」は「×１０−Ｘ」を意味している。
【００７１】
なお、非球面は各数値実施例中における面番号の右側に*印を付している。
【００７２】
また、表１に、前述の各条件式と各実施例における諸数値との関係を示す。
［数値実施例１］
単位 mm
面データ
面番号       r        d      nd         νd       
1         67.756    1.75   1.80610    33.3      
2         20.925    9.62                        
3       -174.702    1.75   1.77250    49.6      
4         46.091    0.63                        
5         34.206    5.57   1.84666    23.9      
6        206.576   (可変)                        
7         94.113    3.09   1.48749    70.2      
8        -89.441    1.10                        
9         15.100    5.30   1.48749    70.2      
10       -149.131    1.26   1.84666    23.9      
11        142.042    3.98                        
12          ∞       0.00                        
13(絞り)    ∞       2.55                        
14*        25.619    2.18   1.52996    55.8      
15         48.107   (可変)                        
16         29.964    1.10   1.72825    28.5      
17         14.558   (可変)                        
18*       907.991    2.85   1.52996    55.8      
19*        83.616   (可変)                        
20        -65.569    4.84   1.79952    42.2      
21        -37.352   12.40                        
22          ∞       1.96   1.51633    64.1      
23          ∞       1.14                        
像面        ∞   
非球面データ
第14面
K=0.00000e+000  A4=-5.81535e-005  A6=-2.91444e-007  A8=-1.67547e-009  
第18面
K=0.00000e+000  A4=-1.62832e-004  A6= 4.52051e-007  A8=-1.66554e-009  
第19面
K=0.00000e+000  A4=-1.47440e-004  A6= 5.22625e-007  A8=-2.46614e-009  A10= 6.59419e-012  A12=-1.39564e-014  
各種データ
ズーム比      2.82 
広角     中間     望遠
焦点距離      24.51    43.14    69.13  
Fナンバー      4.10     5.10     6.44  
半画角（°）  38.46    26.63    17.38  
レンズ全長   112.53   106.22   113.54  
BF            14.83    14.83    14.83  
d6            34.30    13.64     2.67  
d15            1.64     3.01     4.86  
d17           12.42    11.05     9.21  
d19            1.75    16.10    34.38  
ズームレンズ群データ
群  始面    焦点距離  レンズ構成長  
1    1     -38.05        19.33    
2    7      24.03        19.46    
3   16     -40.09         1.10    
4   18    -173.99         2.85    
5   20     100.87         4.84    
［数値実施例２］
単位 mm
面データ
面番号       r        d      nd         νd      
1         65.245    1.75   1.80610    33.3     
2         20.316    9.60                       
3       -165.143    1.75   1.77250    49.6     
4         44.697    0.63                       
5         33.467    5.52   1.84666    23.9    
6        235.117   (可変)                      
7        109.298    3.09   1.48749    70.2     
8        -77.315    1.44                       
9         14.908    5.43   1.48749    70.2     
10       -110.710    1.26   1.84666    23.9     
11        171.321    3.75                       
12          ∞       0.00                       
13(絞り)    ∞       2.50                       
14*        24.312    2.17   1.52996    55.8     
15         43.530   (可変)                       
16         27.065    1.10   1.72151    29.2     
17         13.448   (可変)                       
18*        57.166    2.85   1.52996    55.8     
19*        35.677   (可変)                       
20        -74.021    5.26   1.79952    42.2     
21        -37.911   12.40                       
22          ∞       1.96   1.51633    64.1     
23          ∞       0.96                       
像面        ∞   
非球面データ
第14面
K=0.00000e+000  A4=-5.82774e-005  A6=-3.84313e-007  A8=-1.23557e-009  
第18面
K=0.00000e+000  A4=-1.65892e-004  A6= 5.21681e-007  
第19面
K=0.00000e+000  A4=-1.65769e-004  A6=6.10061e-007  A8=-1.72131e-009  A10=3.07769e-012  
各種データ
ズーム比      2.82 
広角     中間     望遠
焦点距離      24.52    43.05    69.13  
Fナンバー      4.10     5.10     6.44  
半画角（°）  38.46    26.68    17.38  
レンズ全長   109.15   104.79   112.88  
BF            14.65    14.65    14.65  
d6            31.26    12.13     1.60  
d15            1.64     2.70     4.40  
d17           11.76    10.71     9.00  
d19            1.75    16.52    35.13  
ズームレンズ群データ
群  始面    焦点距離  レンズ構成長 
1    1     -37.72        19.25       
2    7      23.63        19.63        
3   16     -38.34         1.10      
4   18    -187.71         2.85       
5   20      91.29         5.26      
［数値実施例３］
単位 mm
面データ
面番号       r        d      nd         νd     
1         65.810    1.75   1.80610    33.3    
2         20.837    9.79                      
3       -151.747    1.75   1.77250    49.6    
4         45.997    0.63                      
5         34.649    5.63   1.84666    23.9    
6        251.898   (可変)                      
7        117.363    2.75   1.48749    70.2    
8        -74.934    1.10                      
9         15.545    5.24   1.48749    70.2    
10       -142.598    1.26   1.84666    23.9    
11        139.520    4.40                      
12          ∞       0.00                      
13(絞り)    ∞       2.44                      
14*        24.481    2.37   1.52996    55.8    
15         43.955   (可変)                      
16         28.460    1.10   1.72825    28.5    
17         14.652   (可変)                      
18*       179.009    2.85   1.52996    55.8    
19*        63.955   (可変)                      
20        -61.418    4.64   1.79952    42.2    
21        -36.969   12.40                      
22          ∞       1.96   1.51633    64.1    
23          ∞       1.14                      
像面        ∞   
非球面データ
第14面
K=0.00000e+000  A4=-5.05033e-005  A6=-2.07371e-007  A8=-1.92298e-009  
第18面
K=0.00000e+000  A4=-1.73798e-004  A6= 5.28922e-007  A8=-2.46759e-009  
第19面
K=0.00000e+000  A4=-1.60178e-004  A6=6.25353e-007  A8=-3.39220e-009  A10=1.03290e-011  A12=-2.17735e-014  
各種データ
ズーム比      2.82 
広角     中間     望遠
焦点距離      24.51    43.00    69.13  
Fナンバー      4.10     5.10     6.44  
半画角（°）  38.46    26.71    17.38  
レンズ全長   112.83   106.76   114.74  
BF            14.83    14.83    14.83  
d6            34.18    13.70     2.82  
d15            1.65     2.99     4.76  
d17           12.72    11.38     9.61  
d19            1.74    16.16    35.01  
ズームレンズ群データ
群  始面    焦点距離  レンズ構成長  
1    1     -37.94        19.56      
2    7      24.56        19.55      
3   16     -42.91         1.10      
4   18    -189.39         2.85      
5   20     107.12         4.64      
［数値実施例４］
単位 mm
面データ
面番号       r        d      nd         νd     
1         64.587    1.75   1.95375    32.3    
2         21.780   10.54                      
3       -116.648    1.75   1.69680    55.5    
4         43.744    0.63                      
5         35.700    5.91   1.84666    23.9    
6        299.992   (可変)                      
7        226.265    2.74   1.71700    47.9    
8       -106.945    1.10                      
9         16.658    5.96   1.49700    81.5    
10        -43.719    1.26   1.95375    32.3    
11       -153.697    3.15                      
12          ∞       0.00                      
13(絞り)    ∞       3.51                     
14*        26.292    2.26   1.52996    55.8    
15         50.628   (可変)                      
16         26.967    1.10   1.84666    23.9    
17         14.547   (可変)                      
18*        66.735    2.85   1.52996    55.8    
19*        46.309   (可変)                      
20        -56.415    4.12   1.95375    32.3    
21        -38.257   12.38                      
22          ∞       1.96   1.51633    64.1    
23          ∞       1.12                      
像面        ∞   
非球面データ
第14面
K=0.00000e+000  A4=-3.87678e-005  A6=-1.72023e-007  A8=-1.06453e-009  
第18面
K=0.00000e+000  A4=-2.02049e-004  A6=7.04240e-007  A8=-4.61968e-009  
第19面
K=0.00000e+000  A4=-1.91101e-004  A6=7.99103e-007  A8=-5.27751e-009  A10=1.68275e-011  A12=-3.90847e-014  
各種データ
ズーム比      3.19 
広角     中間     望遠
焦点距離      21.66    41.66    69.12  
Fナンバー      4.10     5.10     6.44  
半画角（°）  41.95    27.45    17.38  
レンズ全長   115.09   108.18   118.44  
BF            14.79    14.79    14.79  
d6            36.02    12.55     1.86  
d15            1.62     3.16     5.03  
d17           12.31    10.77     8.90  
d19            1.72    18.29    39.23  
ズームレンズ群データ
群  始面    焦点距離  レンズ構成長  
1    1     -34.45        20.59     
2    7      23.91        19.98     
3   16     -38.89         1.10     
4   18    -300.00         2.85     
5   20     112.20         4.12             
［数値実施例５］
単位 mm
面データ
面番号       r        d      nd         νd     
1         56.534    1.75   1.80610    33.3     
2         20.524    9.94                       
3       -128.069    1.75   1.71999    50.2     
4         44.061    0.63                       
5         33.919    5.20   1.84666    23.9     
6        154.428   (可変)                       
7        133.107    2.56   1.48749    70.2     
8        -96.658    1.10                       
9         16.253    4.89   1.48749    70.2     
10       -181.173    1.26   1.84666    23.9     
11        109.669    3.59                       
12          ∞       0.00                       
13(絞り)    ∞       3.26                       
14*        23.765    2.86   1.52996    55.8     
15        220.845   (可変)                       
16         40.297    1.10   1.64769    33.8     
17         14.802   (可変)                       
18*       169.469    2.85   1.52996    55.8     
19*        56.500   (可変)                       
20        -54.777    5.39   1.49700    81.5     
21        -30.701   13.62                       
22          ∞       1.96   1.51633    64.1     
23          ∞       1.14                       
像面        ∞   
非球面データ
第14面
K=0.00000e+000  A4=-4.23355e-005  A6=-1.37290e-007  A8=-1.17611e-009  
第18面
K=0.00000e+000  A4=-1.49406e-004  A6= 4.22637e-007  A8=-1.43378e-009  
第19面
K=0.00000e+000  A4=-1.32908e-004  A6=5.10350e-007  A8=-2.48426e-009  A10=8.70115e-012  A12=-1.93739e-014  
各種データ
ズーム比      2.56 
広角     中間     望遠
焦点距離      24.51    35.01    62.67  
Fナンバー      4.10     5.10     6.44  
半画角（°）  38.47    31.71    19.05  
レンズ全長   116.26   116.26   116.26  
BF            16.06    16.06    16.06  
d6            36.14    24.87     6.34  
d15            2.08     1.64     4.24  
d17           12.10    10.39     8.51  
d19            1.75    15.16    32.97  
ズームレンズ群データ
群  始面    焦点距離  レンズ構成長  
1    1     -36.91        19.28      
2    7      23.40        19.52      
3   16     -36.74         1.10      
4   18    -161.34         2.85      
5   20     130.82         5.39      
［数値実施例６］
単位 mm
面データ
面番号       r        d      nd         νd       
1         55.073    1.75   1.85026    32.3      
2         20.834   10.34                       
3       -111.551    1.75   1.78590    44.2      
4         46.691    0.63                      
5         36.056    5.81   1.84666    23.9      
6        523.052   (可変)                        
7         86.994    2.64   1.48749    70.2      
8       -163.461    1.12                        
9         15.190    5.44   1.48749    70.2      
10       -104.917    1.26   1.84666    23.9      
11        176.057    3.60                        
12          ∞       0.00                        
13(絞り)    ∞       3.05                        
14*        32.055    2.19   1.52996    55.8      
15         79.204   (可変)                        
16         37.350    1.10   1.95375    32.3      
17         20.644   (可変)                       
18*        96.087    2.85   1.52996    55.8     
19*        55.123   (可変)                        
20          ∞       1.96   1.51633    64.1      
21          ∞       1.15                        
像面        ∞   
非球面データ
第14面
K=0.00000e+000  A4=-5.84496e-005  A6=-2.34463e-007  A8=-1.43401e-009  
第18面
K=0.00000e+000  A4=-2.11463e-004  A6=7.58913e-007  A8=-5.10526e-009  
第19面
K=0.00000e+000  A4=-1.99672e-004  A6=9.02437e-007  A8=-5.83576e-009  A10=1.72536e-011  A12=-3.06761e-014  
各種データ
ズーム比      2.13 
広角     中間     望遠
焦点距離      24.51    32.98    52.16  
Fナンバー      4.10     5.10     6.44  
半画角（°）  38.46    33.26    22.53  
レンズ全長   114.74   114.74   114.74  
BF            17.59    30.65    46.81  
d6            37.22    27.85    12.76  
d15            1.64     0.22     1.18  
d17           14.76    12.51    10.48  
d19           15.16    28.21    44.37  
ズームレンズ群データ
群  始面    焦点距離  レンズ構成長 
1    1     -37.77        20.28    
2    7      25.33        19.29    
3   16     -50.00         1.10    
4   18    -250.00         2.85    
［数値実施例７］
単位 mm
面データ
面番号       r        d      nd         νd       
1         48.928    1.75   1.85478    24.8      
2         20.322   10.64                        
3       -123.342    1.75   1.79952    42.2     
4         43.298    0.63                       
5         34.703    5.19   1.92286    18.9      
6        140.154   (可変)                        
7         74.890    2.65   1.49700    81.5      
8       -195.539   (可変)                        
9         14.950    5.50   1.48749    70.2      
10        -88.147    1.26   1.85478    24.8      
11       1236.757    3.42                        
12          ∞       0.00                        
13(絞り)    ∞       2.89                        
14*        25.461    2.08   1.52996    55.8      
15         43.690   (可変)                        
16         76.498    1.10   1.85025    30.1      
17         21.436   (可変)                        
18*        22.508    2.85   1.52996    55.8      
19*        26.446   (可変)                        
20          ∞       1.86   1.51633    64.1      
21          ∞       1.21                        
像面        ∞   
非球面データ
第14面
K=0.00000e+000  A4=-6.91675e-005  A6=-3.25456e-007  A8=-3.01678e-009  
第18面
K=0.00000e+000  A4=-8.91850e-005  A6=9.20762e-008  
第19面
K=0.00000e+000  A4=-8.57958e-005  A6= 8.00367e-008  
各種データ
ズーム比      2.82 
広角     中間     望遠
焦点距離      24.52    47.50    69.13  
Fナンバー      4.10     5.10     6.44  
半画角（°）  38.45    24.49    17.38  
レンズ全長   117.65   105.88   109.89  
BF            19.22    35.18    49.30  
d6            30.63     7.64     1.59  
d 8            9.90     5.16     1.09  
d15            1.73     4.27     5.69  
d17           14.45    11.91    10.49  
d19           16.79    32.74    46.86  
ズームレンズ群データ
群  始面    焦点距離  レンズ構成長  
1    1     -33.75        19.97        
2    7     109.31         2.65        
3    9      28.60        15.15        
4   16     -35.35         1.10        
5   18     228.05         2.85        
【００７３】
【表１】
2020190661.tif 000003
【００７４】
以上、本発明の好ましい実施例について説明したが、本発明はこれらの実施例に限定されず、その要旨の範囲内で種々の変形及び変更が可能である。
【符号の説明】
【００７５】
Ｌ１ ： 第１レンズ群
Ｌ２ ： 第２レンズ群
ＬＦ ： フォーカスレンズ群
【図１】
2020190661.tif 000004
【図２】
2020190661.tif 000005
【図３】
2020190661.tif 000006
【図４】
2020190661.tif 000007
【図５】
2020190661.tif 000008
【図６】
2020190661.tif 000009
【図７】
2020190661.tif 000010
【図８】
2020190661.tif 000011
【図９】
2020190661.tif 000012
【図１０】
2020190661.tif 000013
【図１１】
2020190661.tif 000014
【図１２】
2020190661.tif 000015
【図１３】
2020190661.tif 000016
【図１４】
2020190661.tif 000017
【図１５】
2020190661.tif 000018
【図１６】
2020190661.tif 000019
【図１７】
2020190661.tif 000020
【図１８】
2020190661.tif 000021
【図１９】
2020190661.tif 000022
【図２０】
2020190661.tif 000023
【図２１】
2020190661.tif 000024
【図２２】
2020190661.tif 000025
【図２３】
2020190661.tif 000026
【図２４】
2020190661.tif 000027
【図２５】
2020190661.tif 000028
【図２６】
2020190661.tif 000029
【図２７】
2020190661.tif 000030
【図２８】
2020190661.tif 000031
【図２９】
2020190661.tif 000032